(57)【要約】  本発明の複数の実施形態は、複数のコンテンツカードを表示する方法および端末に関する。ここで、複数のコンテンツカードは現在のコンテンツカードおよび少なくとも１つのスタックされたコンテンツカードを含み、コンテンツカードの表示モードはスタッキングモードおよびブラウジングモードを含み、現在のコンテンツカードの表示領域は縁部領域およびコンテンツ表示領域に分割され、方法は、指スライドの開始位置およびスライド方向を検出する段階と、表示モードに基づくコンテンツカードに関する実行動作、開始位置と現在のコンテンツカードのコンテンツ表示領域との間の位置関係、スライド方向、および、現在のコンテンツカードの上部または下部と予め定められた領域との間の関係を判断する段階とを含み、ここで、実行動作は、スタッキングモードとブラウジングモードとの間を切り替えること、および、ブラウジングモードにおける隣接するコンテンツカードのコンテンツを連続的に表示することのうちの少なくとも１つを含む。
2020537214.tif 000002
【特許請求の範囲】
【請求項１】
端末上に複数のコンテンツカードを表示する方法であって、前記複数のコンテンツカードは、現在のコンテンツカードおよび少なくとも１つのスタックされたコンテンツカードを含み、前記複数のコンテンツカードの表示モードは、スタッキングモードおよびブラウジングモードを含み、前記スタッキングモードにおいて、前記現在のコンテンツカードのコンテンツおよび前記少なくとも１つのスタックされたコンテンツカードの縁部が表示され、前記ブラウジングモードにおいて、前記現在のコンテンツカードの前記コンテンツが全画面で表示され、前記現在のコンテンツカードの表示領域は、縁部領域およびコンテンツ表示領域に分割され、
前記方法は、
指スライドの開始位置およびスライド方向を検出する段階と、
前記表示モードに基づく前記コンテンツカードに関する実行動作、前記開始位置と前記現在のコンテンツカードの前記コンテンツ表示領域との間の位置関係、前記スライド方向、および前記現在のコンテンツカードの上部または下部と予め定められた領域との間の関係を判断する段階とを含み、前記実行動作は、前記スタッキングモードと前記ブラウジングモードとの間を切り替える段階、および前記ブラウジングモードにおける隣接するコンテンツカードのコンテンツを連続的に表示する段階のうちの少なくとも１つを含み、前記隣接するコンテンツカードは、前記現在のコンテンツカードと、前記少なくとも１つのスタックされたコンテンツカードのうちの１つであり、かつ前記現在のコンテンツカードに隣接するコンテンツカードとを含む、
方法。
【請求項２】
前記予め定められた領域は第１の予め定められた領域を含み、前記コンテンツカードに関する実行動作を判断する前記段階は、
前記現在のコンテンツカードが前記スタッキングモードにあること、前記開始位置が前記コンテンツ表示領域内にあること、前記スライド方向が上向きであること、および、前記現在のコンテンツカードの前記上部が前記第１の予め定められた領域内にあることに応じて、前記スタッキングモードから前記ブラウジングモードへ切り替える段階と、前記現在のコンテンツカードの前記コンテンツ表示領域においてカードコンテンツを上向きに移動する段階とを含む、
請求項１に記載の方法。
【請求項３】
前記予め定められた領域は第２の予め定められた領域を含み、前記コンテンツカードに関する実行動作を判断する前記段階は、
前記現在のコンテンツカードが前記ブラウジングモードにあること、前記開始位置が前記コンテンツ表示領域内にあること、前記コンテンツ表示領域がカードコンテンツの上部を含むこと、前記スライド方向が下向きであること、および、前記現在のコンテンツカードの前記上部が前記第２の予め定められた領域内にあることに応じて、前記現在のコンテンツカードの表示モードを前記ブラウジングモードから前記スタッキングモードに切り替える段階を含む、
請求項１または２に記載の方法。
【請求項４】
前記予め定められた領域は第３の予め定められた領域を含み、前記コンテンツカードに関する実行動作を判断する前記段階は、
前記現在のコンテンツカードが前記ブラウジングモードにあること、前記開始位置が前記コンテンツ表示領域内にあること、前記コンテンツ表示領域がカードコンテンツの下部を含むこと、前記スライド方向が上向きであること、および、前記現在のコンテンツカードの前記下部が前記第３の予め定められた領域内にあることに応じて、隣接するコンテンツカードのコンテンツを連続的に表示する段階を含み、隣接するコンテンツカードのコンテンツを連続的に表示する前記段階は、前記現在のコンテンツカードの前記下部と前記現在のコンテンツカードに隣接するコンテンツカードの上部とを表示する段階を含む、
請求項１から３のいずれか一項に記載の方法。
【請求項５】
複数のコンテンツカードを表示する端末であって、前記複数のコンテンツカードは現在のコンテンツカードおよび少なくとも１つのスタックされたコンテンツカードを含み、前記複数のコンテンツカードの表示モードはスタッキングモードおよびブラウジングモードを含み、前記スタッキングモードにおいて、前記現在のコンテンツカードのコンテンツおよび前記少なくとも１つのスタックされたコンテンツカードの縁部が表示され、前記ブラウジングモードにおいて、前記現在のコンテンツカードの前記コンテンツが全画面で表示され、前記現在のコンテンツカードの表示領域は、縁部領域およびコンテンツ表示領域に分割され、前記端末は、
指スライドの開始位置およびスライド方向を検出するように構成された検出モジュールと、
前記表示モード、前記開始位置と前記現在のコンテンツカードの前記コンテンツ表示領域との間の位置関係、前記スライド方向、および前記現在のコンテンツカードの上部または下部と予め定められた領域との間の関係に基づいて、前記コンテンツカードに関する実行動作を判断するように構成された処理モジュールとを含み、前記実行動作は、前記スタッキングモードと前記ブラウジングモードとの間を切り替える段階、および、前記ブラウジングモードにおける隣接するコンテンツカードのコンテンツを連続的に表示する段階のうちの少なくとも１つを含み、前記隣接するコンテンツカードは、前記現在のコンテンツカードと、前記少なくとも１つのスタックされたコンテンツカードのうちの１つであり、かつ前記現在のコンテンツカードに隣接するコンテンツカードとを含む、端末。
【請求項６】
前記予め定められた領域は第１の予め定められた領域を含み、前記処理モジュールによって前記コンテンツカードに関する実行動作を判断する前記段階は、
前記現在のコンテンツカードが前記スタッキングモードにあること、前記開始位置が前記コンテンツ表示領域内にあること、前記スライド方向が上向きであること、および前記現在のコンテンツカードの前記上部が前記第１の予め定められた領域内にあることに応じて、前記スタッキングモードから前記ブラウジングモードに切り替える段階と、前記現在のコンテンツカードの前記コンテンツ表示領域においてカードコンテンツを上向きに移動する段階とを含む、
請求項５に記載の端末。
【請求項７】
前記予め定められた領域は第２の予め定められた領域を含み、前記処理モジュールによって前記コンテンツカードに関する実行動作を判断する前記段階は、
前記現在のコンテンツカードが前記ブラウジングモードにあること、前記開始位置が前記コンテンツ表示領域内にあること、前記コンテンツ表示領域がカードコンテンツの上部を含むこと、前記スライド方向が下向きであること、および前記現在のコンテンツカードの前記上部が前記第２の予め定められた領域内にあることに応じて、前記現在のコンテンツカードの表示モードを前記ブラウジングモードから前記スタッキングモードに切り替える段階を含む、
請求項５または６に記載の端末。
【請求項８】
前記予め定められた領域は第３の予め定められた領域を含み、前記処理モジュールによって前記コンテンツカードに関する実行動作を判断する前記段階は、
前記現在のコンテンツカードが前記ブラウジングモードにあること、前記開始位置が前記コンテンツ表示領域内にあること、前記コンテンツ表示領域がカードコンテンツの下部を含むこと、前記スライド方向が上向きであること、および前記現在のコンテンツカードの前記下部が前記第３の予め定められた領域内にあることに応じて、隣接するコンテンツカードのコンテンツを連続的に表示する段階を含み、隣接するコンテンツカードのコンテンツを前記連続的に表示する前記段階は、前記現在のコンテンツカードの前記下部と前記現在のコンテンツカードに隣接するコンテンツカードの上部とを表示する段階を含む、
請求項５から７のいずれか一項に記載の端末。
【請求項９】
メモリと、プロセッサと、前記メモリに格納され、前記プロセッサ上で動作することができるコンピュータプログラムとを含む、複数のコンテンツカードを表示する端末であって、前記複数のコンテンツカードは、現在のコンテンツカードおよび少なくとも１つのスタックされたコンテンツカードを含み、前記複数のコンテンツカードの表示モードは、スタッキングモードおよびブラウジングモードを含み、前記スタッキングモードにおいて、前記現在のコンテンツカードのコンテンツおよび前記少なくとも１つのスタックされたコンテンツカードの縁部が表示され、前記ブラウジングモードにおいて、前記現在のコンテンツカードの前記コンテンツが全画面で表示され、前記現在のコンテンツカードの表示領域は、縁部領域およびコンテンツ表示領域に分割され、前記プログラムが実行されるとき、前記プロセッサは、以下のこと、すなわち、
指スライドの開始位置およびスライド方向を検出する段階と、前記表示モードに基づく前記コンテンツカードに関する実行動作、前記開始位置と前記現在のコンテンツカードの前記コンテンツ表示領域との間の位置関係、前記スライド方向、および前記現在のコンテンツカードの上部または下部と予め定められた領域との間の関係を判断する段階とを実施し、前記実行動作は、
前記スタッキングモードと前記ブラウジングモードとの間を切り替える段階、および、前記ブラウジングモードにおける隣接するコンテンツカードのコンテンツを連続的に表示する段階のうちの少なくとも１つを含み、前記隣接するコンテンツカードは、前記現在のコンテンツカードと、前記少なくとも１つのスタックされたコンテンツカードのうちの１つであり、かつ前記現在のコンテンツカードに隣接するコンテンツカードとを含む、
端末。
【請求項１０】
前記予め定められた領域は第１の予め定められた領域を含み、前記プロセッサによって前記コンテンツカードに関する実行動作を判断する前記段階は、
前記現在のコンテンツカードが前記スタッキングモードにあること、前記開始位置が前記コンテンツ表示領域内にあること、前記スライド方向が上向きであること、および前記現在のコンテンツカードの前記上部が前記第１の予め定められた領域内にあることに応じて、前記スタッキングモードから前記ブラウジングモードに切り替える段階と、前記現在のコンテンツカードの前記コンテンツ表示領域においてカードコンテンツを上向きに移動する段階とを含む、
請求項９に記載の端末。
【請求項１１】
前記予め定められた領域は第２の予め定められた領域を含み、前記プロセッサによって前記コンテンツカードの実行動作を判断する前記段階は、
前記現在のコンテンツカードが前記ブラウジングモードにあること、前記開始位置が前記コンテンツ表示領域内にあること、前記コンテンツ表示領域がカードコンテンツの上部を含むこと、前記スライド方向が下向きであること、および前記現在のコンテンツカードの前記上部が前記第２の予め定められた領域内にあることに応じて、前記現在のコンテンツカードの表示モードを、前記ブラウジングモードから前記スタッキングモードに切り替える段階を含む、
請求項９または１０に記載の端末。
【請求項１２】
前記予め定められた領域は第３の予め定められた領域を含み、前記プロセッサによって前記コンテンツカードに関する実行動作を判断する前記段階は、
前記現在のコンテンツカードが前記ブラウジングモードにあること、前記開始位置が前記コンテンツ表示領域内にあること、前記コンテンツ表示領域がカードコンテンツの下部を含むこと、前記スライド方向が上向きであること、および前記現在のコンテンツカードの前記下部が前記第３の予め定められた領域内にあることに応じて、隣接するコンテンツカードのコンテンツを連続的に表示する段階を含み、隣接するコンテンツカードのコンテンツを連続的に表示する前記段階は、前記現在のコンテンツカードの前記下部と前記現在のコンテンツカードに隣接するコンテンツカードの上部とを表示する段階を含む、
請求項９から１１のいずれか一項に記載の端末。
【請求項１３】
命令を含むコンピュータ可読記憶媒体であって、前記命令がコンピュータ上で実行されるとき、前記コンピュータは請求項１から４のいずれか一項に記載の方法を実行することを可能にされる、コンピュータ可読記憶媒体。
【請求項１４】
命令を含むコンピュータプログラムプロダクトであって、前記プロダクトがコンピュータ上で実行されるとき、前記コンピュータは請求項１から４のいずれか一項に記載の方法を実行することを可能にされる、コンピュータプログラムプロダクト。
【発明の詳細な説明】
【技術分野】
【０００１】
本発明はマルチメディア技術の分野に関し、より詳細には、複数のコンテンツカードを表示する方法および端末に関する。
【背景技術】
【０００２】
カードベースのレイアウトは、情報、写真、テキスト、操作ボタン、およびリンクなどの複数の要素を、１つのカードに統合し得る。このやり方で、ユーザは、異なるレイヤにカードを移動させたり、カードを配置したりすることができる。そのようなカードベースのレイアウトに基づいて、コンテンツはより直感的に示される。加えて、異なるコンテンツは異なって表示され、したがって、ユーザはより簡単かつ正確に操作を実行し得る。例えば、ユーザは、複数の要素を統合しているカードから、移動する必要がある操作ボタンを正確に選択し得、操作ボタンを表示画面の底部に移動し得る。別の例に関して、ユーザは、複数の要素を統合しているカードから、レイヤに配置される必要があるテキストを正確に選択し得、選択されたテキストを表示画面の最上部のレイヤにドラッグし得、ユーザの読み取りを容易にするように、選択されたテキストを拡大および表示し得る。
【０００３】
現在、カードを用いる主に２つの形態がある。１つはウォーターフォールスタイルコンテンツカードレイアウトであり、そこでは個々の各カードは小さなコンテンツエレメントである。このレイアウトは小さなデータブロックに好適であり、すべてのデータブロックは同種のコンテンツを有する。概して、ページ上のスクロールバーが下にスクロールして、現在の表示画面の底部へとデータブロックを連続的にロードするので、ユーザは、短期間の時間で、複数のコンテンツユニットのコンテンツをブラウジングすることができる。他方は、異なるカード上に異なるカテゴリのコンテンツを表示するものである。カードは、異なるレイヤにスタッキングされる。ユーザは、関心のあるカードをタッピングして、対応するカードのプレビュー画面を全画面で表示する。このことは、ユーザが関心のあるカードのコンテンツを読み取ることを簡便にさせる。
【０００４】
概して、コンテンツカードレイアウトの現在のスタイルは、ユーザの読み取りを容易にするように、同時に複数枚のカードコンテンツを表示することを可能にする。しかしながら、異なるタイプのカードの間の切り替えはレイテンシに影響されるので、ユーザが適時的にフィードバックおよび好適なユーザエクスペリエンスを取得することは困難である。
【発明の概要】
【０００５】
本発明の複数の実施形態は、迅速に、複数のコンテンツカードを切り替えて、コンテンツカードのコンテンツをブラウジングするように、端末上に複数のスタックされたコンテンツカードを表示する方法と、複数のスタックされたコンテンツカードを表示する端末とを提供する。
【０００６】
第１の態様によると、本発明の実施形態は、端末上に複数のコンテンツカードを表示する方法を提供し、ここで、複数のコンテンツカードは現在のコンテンツカードおよび少なくとも１つのスタックされたコンテンツカードを含み、複数のコンテンツカードの表示モードはスタッキングモードおよびブラウジングモードを含み、ここで、スタッキングモードにおいて、現在のコンテンツカードのコンテンツおよび少なくとも１つのスタックされたコンテンツカードの縁部が表示され、ブラウジングモードにおいて、現在のコンテンツカードのコンテンツは全画面で表示され、現在のコンテンツカードの表示領域は縁部領域およびコンテンツ表示領域に分割され、方法は、指スライドの開始位置およびスライド方向を検出し、表示モードに基づくコンテンツカードに関する実行動作、開始位置と現在のコンテンツカードのコンテンツ表示領域との間の位置関係、スライド方向、および、現在のコンテンツカードの上部または下部と予め定められた領域との間の関係を判断し、ここで、実行動作は、スタッキングモードとブラウジングモードとの間で切り替えること、および、ブラウジングモードにおける隣接するコンテンツカードのコンテンツを連続的に表示することのうちの少なくとも１つを含み、ここで、隣接するコンテンツカードは、現在のコンテンツカードと、少なくとも１つのスタックされたコンテンツカードのうちの１つであり、かつ現在のコンテンツカードに隣接するコンテンツカードとを含む。
【０００７】
可能な実施例において、予め定められた領域は第１の予め定められた領域を含み、コンテンツカードに関する実行動作を判断することは、現在のコンテンツカードがスタッキングモードにあること、開始位置がコンテンツ表示領域内にあること、スライド方向が上向きであること、および、現在のコンテンツカードの上部が第１の予め定められた領域内にあることに応じて、スタッキングモードからブラウジングモードに切り替えること、および、現在のコンテンツカードのコンテンツ表示領域において上向きにカードコンテンツを移動することを含む。
【０００８】
可能な実施例において、予め定められた領域は第２の予め定められた領域を含み、コンテンツカードに関する実行動作を判断することは、現在のコンテンツカードがブラウジングモードにあること、開始位置がコンテンツ表示領域内にあること、コンテンツ表示領域がカードコンテンツの上部を含むこと、スライド方向が下向きであること、および、現在のコンテンツカードの下部が第２の予め定められた領域内にあることに応じて、現在のコンテンツカードの表示モードをブラウジングモードからスタッキングモードに切り替えることを含む。
【０００９】
可能な実施例において、予め定められた領域は第３の予め定められた領域を含み、コンテンツカードに関する実行動作を判断することは、現在のコンテンツカードがブラウジングモードにあること、開始位置がコンテンツ表示領域内にあること、コンテンツ表示領域がカードコンテンツの下部を含むこと、スライド方向が上向きであること、および、現在のコンテンツカードの下部が第３の予め定められた領域内にあることに応じて、隣接するコンテンツカードのコンテンツを連続的に表示することを含み、ここで、隣接するコンテンツカードのコンテンツを連続的に表示することは、現在のコンテンツカードの下部と現在のコンテンツカードに隣接するコンテンツカードの上部とを表示することを含む。
【００１０】
第２の態様によると、本発明の実施形態は複数のコンテンツカードを表示する端末を提供し、ここで、複数のコンテンツカードは、現在のコンテンツカードおよび少なくとも１つのスタックされたコンテンツカードを含み、複数のコンテンツカードの表示モードはスタッキングモードおよびブラウジングモードを含み、ここで、スタッキングモードにおいて、現在のコンテンツカードのコンテンツおよび少なくとも１つのスタックされたコンテンツカードの縁部が表示され、ブラウジングモードにおいて、現在のコンテンツカードのコンテンツが全画面で表示され、現在のコンテンツカードの表示領域は、縁部領域およびコンテンツ表示領域に分割され、端末は、指スライドの開始位置およびスライド方向を検出するように構成された検出モジュールと、表示モードに基づくコンテンツカードに関する実行動作、開始位置と現在のコンテンツカードのコンテンツ表示領域との間の位置関係、スライド方向、および、現在のコンテンツカードの上部または下部と予め定められた領域との間の関係を判断するように構成された処理モジュールとを含み、ここで、実行動作は、スタッキングモードとブラウジングモードとの間を切り替えることと、ブラウジングモードにおける隣接するコンテンツカードのコンテンツを連続的に表示することとのうちの少なくとも１つを含み、ここで、前記隣接するコンテンツカードは、現在のコンテンツカードと、少なくとも１つのスタックされたコンテンツカードのうちの１つであり、かつ現在のコンテンツカードに隣接するコンテンツカードとを含む。
【００１１】
可能な実施例において、予め定められた領域は第１の予め定められた領域を含み、処理モジュールによってコンテンツカードに関する実行動作を判断することは、現在のコンテンツカードがスタッキングモードにあること、開始位置がコンテンツ表示領域内にあること、スライド方向が上向きであること、および、現在のコンテンツカードの上部が第１の予め定められた領域内にあることに応じて、スタッキングモードからブラウジングモードに切り替えること、および、現在のコンテンツカードのコンテンツ表示領域においてカードコンテンツを上向きに移動することを含む。
【００１２】
可能な実施例において、予め定められた領域は第２の予め定められた領域を含み、処理モジュールによってコンテンツカードに関する実行動作を判断することは、現在のコンテンツカードがブラウジングモードにあること、開始位置がコンテンツ表示領域内にあること、コンテンツ表示領域がカードコンテンツの上部を含むこと、スライド方向が下向きであること、および、現在のコンテンツカードの下部が第２の予め定められた領域内にあることに応じて、現在のコンテンツカードの表示モードをブラウジングモードからスタッキングモードに切り替えることを含む。
【００１３】
可能な実施例において、予め定められた領域は第３の予め定められた領域を含み、処理モジュールによってコンテンツカードに関する実行動作を判断することは、現在のコンテンツカードがブラウジングモードにあること、開始位置がコンテンツ表示領域内にあること、コンテンツ表示領域がカードコンテンツの下部を含むこと、スライド方向が上向きであること、および、現在のコンテンツカードの下部が第３の予め定められた領域内にあることに応じて、隣接するコンテンツカードのコンテンツを連続的に表示することを含み、ここで、隣接するコンテンツカードのコンテンツを連続的に表示することは、現在のコンテンツカードの下部と現在のコンテンツカードに隣接するコンテンツカードの上部とを表示することを含む。
【００１４】
第３の態様によると、本発明の実施形態は、メモリと、プロセッサと、メモリ上に格納されてプロセッサ上で動作し得るコンピュータプログラムとを含む、複数のコンテンツカードを表示する端末を提供し、ここで、複数のコンテンツカードは現在のコンテンツカードおよび少なくとも１つのスタックされたコンテンツカードを含み、複数のコンテンツカードの表示モードはスタッキングモードおよびブラウジングモードを含み、ここで、スタッキングモードにおいて、現在のコンテンツカードのコンテンツおよび少なくとも１つのスタックされたコンテンツカードの縁部が表示され、ブラウジングモードにおいて、現在のコンテンツカードのコンテンツが全画面で表示され、現在のコンテンツカードの表示領域は縁部領域およびコンテンツ表示領域に分割され、プログラムを実行するとき、プロセッサは以下のこと、すなわち、指スライドの開始位置およびスライド方向を検出すること、および、表示モードに基づくコンテンツカードに関する実行動作、開始位置と現在のコンテンツカードのコンテンツ表示領域との間の位置関係、スライド方向、および現在のコンテンツカードの上部または下部と予め定められた領域との間の関係を判断することを実施し、ここで、実行動作は、スタッキングモードとブラウジングモードとの間を切り替えることと、ブラウジングモードにおける隣接するコンテンツカードのコンテンツを連続的に表示することとのうちの少なくとも１つを含み、ここで、隣接するコンテンツカードは、現在のコンテンツカードと、少なくとも１つのスタックされたコンテンツカードのうちの１つであり、かつ現在のコンテンツカードに隣接するコンテンツカードとを含む。
【００１５】
可能な実施例において、予め定められた領域は第１の予め定められた領域を含み、プロセッサによってコンテンツカードに関する実行動作を判断することは、現在のコンテンツカードがスタッキングモードにあること、開始位置がコンテンツ表示領域内にあること、スライド方向が上向きであること、および、現在のコンテンツカードの上部が第１の予め定められた領域内にあることに応じて、スタッキングモードからブラウジングモードに切り替えること、および、現在のコンテンツカードのコンテンツ表示領域において上向きにカードコンテンツを移動することを含む。
【００１６】
可能な実施例において、予め定められた領域は第２の予め定められた領域を含み、プロセッサによってコンテンツカードに関する実行動作を判断することは、現在のコンテンツカードがブラウジングモードにあること、開始位置がコンテンツ表示領域内にあること、コンテンツ表示領域がカードコンテンツの上部を含むこと、スライド方向が下向きであること、および現在のコンテンツカードの上部が第２の予め定められた領域内にあることに応じて、現在のコンテンツカードの表示モードをブラウジングモードからスタッキングモードに切り替えることを含む。
【００１７】
可能な実施例において、予め定められた領域は第３の予め定められた領域を含み、プロセッサによってコンテンツカードに関する実行動作を判断することは、現在のコンテンツカードがブラウジングモードにあること、開始位置がコンテンツ表示領域内にあること、コンテンツ表示領域がカードコンテンツの下部を含むこと、スライド方向が上向きであること、および、現在のコンテンツカードの下部が第３の予め定められた領域内にあることに応じて、隣接するコンテンツカードのコンテンツを連続的に表示することを含み、ここで、隣接するコンテンツカードのコンテンツを連続的に表示することは、現在のコンテンツカードの下部と現在のコンテンツカードに隣接するコンテンツカードの上部とを表示することを含む。
【００１８】
第４の態様によると、本発明の実施形態はコンピュータ記憶媒体を提供し、ここで、コンピュータ記憶媒体は命令を格納し、命令がコンピュータ上で実行されるとき、コンピュータは第１の態様の方法または第１の態様の任意の可能な設計を実行することが可能である。
【００１９】
第５の態様によると、本発明の実施形態はコンピュータプログラムプロダクトを提供し、ここで、コンピュータプログラムプロダクトは命令を含み、プロダクトがコンピュータで実行されるとき、命令は、コンピュータが第１の態様の方法または第１の態様の任意の可能な設計を実行することを可能にする。
【００２０】
本発明の複数の実施形態において、コンテンツカードのスタッキングモードとブラウジングモードとを迅速に切り替えるように、および、ブラウジングモードにおいて異なるタイプのカードを迅速に切り替えるように、異なるジェスチャが用いられ、それにより、ユーザの操作ジェスチャを簡潔にする。
【図面の簡単な説明】
【００２１】
【図１】本発明の実施形態に係る端末上で、複数のスタックされたコンテンツカードを表示する方法のフローチャートである。
【００２２】
【図２】本発明の実施形態に係る端末上で、コンテンツカードを切り替える方法の概略図である。
【００２３】
【図３】本発明の実施形態に係る端末上で、コンテンツカードを切り替える別の方法の概略図である。
【００２４】
【図４】本発明の実施形態に係る端末上で、コンテンツカードを切り替える別の方法の概略図である。
【００２５】
【図５】本発明の実施形態に係る端末上で、コンテンツカードを切り替える別の方法の概略図である。
【００２６】
【図６】本発明の実施形態に係る端末上で、コンテンツカードの表示モードを切り替える方法の概略図である。
【００２７】
【図７】本発明の実施形態に係る端末上で、コンテンツカードを切り替える別の方法の概略図である。
【００２８】
【図８】本発明の実施形態に係る端末上で、コンテンツカードをブラウジングする方法の概略図である。
【００２９】
【図９】本発明の実施形態に係る端末上で、コンテンツカードをブラウジングする別の方法の概略図である。
【００３０】
【図１０】本発明の実施形態に係る端末上で、コンテンツカードの表示モードを切り替える別の方法の概略図である。
【００３１】
【図１１】本発明の実施形態に係る端末上で、コンテンツカードを切り替える別の方法の概略図である。
【００３２】
【図１２】本発明の実施形態に係る複数のコンテンツカードを表示する端末の概略構造図である。
【００３３】
【図１３】本発明の実施形態に係る端末の概略構造図である。
【発明を実施するための形態】
【００３４】
本発明の複数の実施形態の目的、技術的解決法、および利点をより明確にさせるように、以下は、本発明の複数の実施形態の技術的解決法を、本発明の複数の実施形態における添付の図面と関連づけて、明確に説明する。
【００３５】
例えば、複数のコンテンツカードは、現在のコンテンツカードおよび少なくとも１つのスタックされたコンテンツカードを含み、複数のコンテンツカードの表示モードは、スタッキングモードおよびブラウジングモードを含む。スタッキングモードにおいては、現在のコンテンツカードのコンテンツと、少なくとも１つのスタックされたコンテンツカードの縁部とが表示される。ブラウジングモードにおいては、現在のコンテンツカードのコンテンツが全画面で表示される。現在のコンテンツカードの表示領域は、縁部領域およびコンテンツ表示領域に分割され、縁部領域は、上部縁部領域および下部縁部領域を含む。
【００３６】
図１は、本発明の実施形態に係る端末上で、複数のスタックされたコンテンツカードを表示する方法のフローチャートである。図１に示されるように、方法は以下の段階を含む。
【００３７】
段階１０１：指スライドの開始位置およびスライド方向を検出する。
【００３８】
段階１０２：表示モードに基づくコンテンツカードに関する実行動作、開始位置と現在のコンテンツカードのコンテンツ表示領域との間の位置関係、スライド方向、および現在のコンテンツカードの上部または下部と予め定められた領域との間の関係を判断する。ここで、実行動作は以下のうちの少なくとも１つを含む。スタッキングモードとブラウジングモードとの間を切り替えること、ブラウジングモードにおける隣接するコンテンツカードのコンテンツを連続的に表示すること。ここで、隣接するコンテンツカードは、現在のコンテンツカードと、少なくとも１つのスタックされたコンテンツカードのうちの１つであり、かつ現在のコンテンツカードに隣接するコンテンツカードとを含む。
【００３９】
例えば、段階１０２において、開始位置がコンテンツカードの縁部領域内にあることに応じて、コンテンツカードに関する実行動作は、現在のコンテンツカードを、少なくとも１つのスタックされたコンテンツカードのうちの１つであり、かつ現在のコンテンツカードに隣接するコンテンツカードに切り替える。
【００４０】
さらに、例えば、段階１０２において、開始位置が上部縁部領域内にあること、および、スライド方向が下向きであることに応じて、コンテンツカードに関する実行動作は、現在のコンテンツカードを、少なくとも１つのスタックされたコンテンツカードのうちの以前のコンテンツカードに切り替えることである。
【００４１】
図２は、本発明の実施形態に係る端末上で、コンテンツカードを切り替える方法の概略図である。
【００４２】
例えば、図２に示されるように、段階１０２において、現在のコンテンツカードはスタッキングモードにあり、タイトルは「ホームページ」であり、指スライドの開始位置は上部縁部領域内にあり、スライド方向は下向きである。この場合、コンテンツカードに関する実行動作は、タイトルが「ニュース」である、隣接する以前のコンテンツカードに切り替えることである。
【００４３】
図３は、本発明の実施形態に係る端末上で、コンテンツカードを切り替える別の方法の概略図である。
【００４４】
例えば、図３に示されるように、段階１０２において、現在のコンテンツカードはブラウジングモードにあり、指スライドの開始位置は上部縁部領域内にあり、スライド方向は下向きである。この場合、コンテンツカードに関する実行動作は、タイトルが「ニュース」である、隣接する以前のコンテンツカードに切り替えることである。
【００４５】
他の態様において、例えば、段階１０２において、開始位置が下部縁部領域内にあること、およびスライド方向が上向きであることに応じて、現在のコンテンツカードは、少なくとも１つのスタックされたコンテンツカードのうちの次のコンテンツカードに切り替えられる。
【００４６】
図４は、本発明の実施形態に係る端末上で、コンテンツカードを切り替える別の方法の概略図である。
【００４７】
例えば、図４に示されるように、段階１０２において、現在のコンテンツカードはスタッキングモードにあり、タイトルは「音楽」であり、指スライドの開始位置はカードの下部縁部領域内にあり、スライド方向は上向きである。この場合、コンテンツカードに関する実行動作は、タイトルが「ニュース」である、隣接する次のコンテンツカードに切り替えることである。
【００４８】
図５は、本発明の実施形態に係る端末上で、コンテンツカードを切り替える別の方法の概略図である。
【００４９】
例えば、図５に示されるように、段階１０２において、現在のコンテンツカードはブラウジングモードにあり、指スライドの開始位置はカードの下部縁部領域内にあり、スライド方向は上向きである。この場合、コンテンツカードに関する実行動作は、タイトルが「ゲーム支援」である、隣接する次のコンテンツカードに切り替えることである。
【００５０】
例えば、段階１０２において、予め定められた領域は第１の予め定められた領域を含み、現在のコンテンツカードがスタッキングモードにあること、開始位置がコンテンツ表示領域内にあること、スライド方向が上向きであること、および現在のコンテンツカードの上部が第１の予め定められた領域内にあることに応じて、スタッキングモードはブラウジングモードに切り替えられ、カードコンテンツは現在のコンテンツカードのコンテンツ表示領域において上向きに移動される。
【００５１】
図６は、本発明の実施形態に係る端末上で、コンテンツカードの表示モードを切り替える方法の概略図である。
【００５２】
例えば、図６に示されるように、第１の予め定められた領域は破線のボックスによって示される領域であり、上部はタイトル「ホームページ」のヘッドである。段階１０２において、現在のコンテンツカードはタイトルが「ホームページ」であるコンテンツカードであり、カードはスタッキングモードにあり、指スライドの開始位置はカードのコンテンツ表示領域内にあり、スライド方向は上向きであり、したがって、カードのタイトル「ホームページ」のヘッドは破線のボックスによって示される領域に入る。この場合、カードはスタッキングモードからブラウジングモードに切り替えられ、カードコンテンツは現在のコンテンツカードのコンテンツ表示領域において上向きに移動され、ユーザはブラウジングモードへの切り替えの間、下向きのブラウジングを続けることができる。
【００５３】
例えば、段階１０２において、現在のコンテンツカードがスタッキングモードにあること、開始位置がコンテンツ表示領域内にあること、およびスライド方向が下向きであることに応じて、現在のコンテンツカードは、少なくとも１つのスタックされたコンテンツカードのうちの以前のコンテンツカードに切り替えられる。
【００５４】
図７は、本発明の実施形態に係る端末上で、コンテンツカードを切り替える別の方法の概略図である。
【００５５】
例えば、図７に示されるように、段階１０２において、現在のコンテンツカードはタイトルが「音楽」であるコンテンツカードであり、カードはスタッキングモードにあり、指スライドの開始位置はカードのコンテンツ表示領域内にあり、スライド方向は下向きである。この場合、現在のコンテンツカードは、少なくとも１つのスタックされたコンテンツカードのうちの以前のコンテンツカード、すなわち、タイトルが「ホームページ」であるコンテンツカードへと切り替えられる。
【００５６】
例えば、段階１０２において、現在のコンテンツカードがブラウジングモードにあること、開始位置がコンテンツ表示領域内にあること、およびコンテンツ表示領域がカードコンテンツの端部を含まないことに応じて、カードコンテンツは、現在のコンテンツカードのコンテンツ表示領域において移動される。
【００５７】
さらに、例えば、段階１０２において、カードの実行動作を判断することは、現在のコンテンツカードがブラウジングモードにあること、開始位置がコンテンツ表示領域内にあること、コンテンツ表示領域がカードコンテンツの端部を含まないこと、およびスライド方向が上向きであることに応じて、カードコンテンツを現在のコンテンツカードのコンテンツ表示領域において上向きに移動することを含む。
【００５８】
図８は、本発明の実施形態に係る端末上で、コンテンツカードをブラウジングする方法の概略図である。
【００５９】
例えば、図８に示されるように、段階１０２において、現在のコンテンツカードはブラウジングモードにあり、コンテンツ表示領域はカードコンテンツの端部を含まず、開始位置はコンテンツ表示領域内にあり、スライド方向は上向きである。この場合、カードコンテンツは現在のコンテンツカードのコンテンツ表示領域において上向きに移動され、ユーザは「誕生日リマインド」部分を下向きにブラウジングし続けることができる。
【００６０】
さらに、例えば、段階１０２において、カードに関する実行動作を判断することは、現在のコンテンツカードがブラウジングモードにあること、開始位置がコンテンツ表示領域内にあること、コンテンツ表示領域がカードコンテンツの端部を含まないこと、およびスライド方向が下向きであることに応じて、現在のコンテンツカードのコンテンツ表示領域においてカードコンテンツを下向きに移動することを含む。
【００６１】
図９は、本発明の実施形態に係る端末上で、コンテンツカードをブラウジングする別の方法の概略図である。
【００６２】
例えば、図９に示されるように、段階１０２において、現在のコンテンツカードはブラウジングモードにあり、コンテンツ表示領域はカードコンテンツの端部を含まず、開始位置はコンテンツ表示領域内にあり、スライド方向は下向きである。この場合、カードコンテンツは現在のコンテンツカードのコンテンツ表示領域において下向きに移動され、ユーザは、「会合を終了」部分を上向きにブラウジングし続けることができる。
【００６３】
例えば、段階１０２において、予め定められた領域は第２の予め定められた領域を含み、現在のコンテンツカードがブラウジングモードにあること、開始位置がコンテンツ表示領域内にあること、スライド方向が下向きであること、コンテンツ表示領域がカードコンテンツの上部を含むこと、および現在のコンテンツカードの上部が第２の予め定められた領域内にあることに応じて、現在のコンテンツカードの表示モードは、ブラウジングモードからスタッキングモードへと切り替えられる。コンテンツカードの上部は、一般にタイトルを有する。第１の予め定められた領域および第２の予め定められた領域は、同じ領域ではないことに留意すべきである。
【００６４】
図１０は、本発明の実施形態に係る端末上で、コンテンツカードの表示モードを切り替える別の方法の概略図である。
【００６５】
例えば、図１０に示されるように、第２の予め定められた領域は破線のボックスによって示される領域であり、上部はタイトル「ホームページ」のヘッドである。段階１０２において、現在のコンテンツカードはブラウジングモードにあり、タイトルは「ホームページ」であり、タイトル「ホームページ」のヘッドは、現在のコンテンツ表示領域に表示され、現在表示される画面がすでにカードコンテンツの上部、すなわち、コンテンツの開始端を含むこと、指スライドの開始位置がコンテンツ表示領域内にあること、およびスライド方向が下向きであることを示し、したがって、カードのタイトル「ホームページ」のヘッドは、破線のボックスによって示される領域に入る。この場合、コンテンツカードに関する実行動作は、ブラウジングモードをスタッキングモードに戻すように切り替えることである。
【００６６】
例えば、段階１０２において、予め定められた領域は第３の予め定められた領域を含み、現在のコンテンツカードがブラウジングモードにあること、開始位置がコンテンツ表示領域内にあること、スライド方向が上向きであること、コンテンツ表示領域はカードコンテンツの下部を含むこと、および現在のコンテンツカードの下部は第３の予め定められた領域内にあることに応じて、隣接するコンテンツカードのコンテンツは連続的に表示され、ここで、隣接するコンテンツカードのコンテンツを連続的に表示することは、現在のコンテンツカードの下部と、現在のコンテンツカードに隣接するコンテンツカードの上部とを表示することを含む。コンテンツカードの下部は、「ｅｎｄ」などの、終了を示す語またはパターンを含む。第１の予め定められた領域、第２の予め定められた領域、および第３の予め定められた領域は同じ領域ではないことに留意すべきである。
【００６７】
図１１は、本発明の実施形態に係る端末上でコンテンツカードを切り替える別の方法の概略図である。
【００６８】
例えば、図１１に示されるように、第３の予め定められた領域は破線のボックスによって示される領域であり、現在のコンテンツカードの下部はタイトル語「ｅｎｄ」である。段階１０２において、現在のコンテンツカードはブラウジングモードにあり、タイトルは「ホームページ」であり、単語「ｅｎｄ」が現在のコンテンツ表示領域に表示され、現在表示されている画面がすでにカードコンテンツの下部、すなわちコンテンツの端部を含むこと、指スライドの開始位置がコンテンツ表示領域内にあること、および、スライド方向が上向きであることを示し、したがって、カードの単語「ｅｎｄ」は、破線のボックスによって示される領域に入る。この場合、コンテンツカードの実行動作は隣接するコンテンツカードのコンテンツを連続的に表示し、具体的には、トップのカードの端部にある交通リマインド部分および誕生日リマインド部分と、次のコンテンツカードの開始部にあるゲーム支援部分とを表示する。
【００６９】
図６、図１０、および図１１に示される実施形態において、第１の予め定められた領域、第２の予め定められた領域、および第３の予め定められた領域は同じ領域ではないことに留意すべきである。３つの領域の分割は、対応するスライドが特定の位置または特定の程度に達することを保証するためのものであり、したがって、携帯電話は、指定された動作を、比較的小さいスライドの大きさの偽のタッチ操作から区別することができる。
【００７０】
例えば、この方法において、携帯電話の画面にさらに、リセット領域が予め設定され、指のタップ位置が検出され、コンテンツカードに関する実行動作を判断することはさらに、タップ位置が予め設定されたリセット領域内にあること、および現在のコンテンツカードがスタッキングモードにあることに応じて、現在のコンテンツカードを複数のコンテンツカードのうちの予め定められたコンテンツカードに切り替えることを含む。
【００７１】
例えば、図２、図４、図６、図７、または図１０における任意のスタッキングモードにおいて、図における楕円領域はリセット領域であり、図における楕円領域は現在のコンテンツカードから予め定められたコンテンツカード、例えば、タイトルが「ホームページ」であるコンテンツカードへ切り替えるようにタップされる。
【００７２】
例えば、この方法において、リセット領域がさらに携帯電話の画面上に設定され、指のタップ位置が検出され、コンテンツカードに関する実行動作を判断することはさらに、タップ位置が予め設定されたリセット領域内にあること、および現在のコンテンツカードがブラウジングモードにあることに応じて、ブラウジングモードからスタッキングモードに切り替えることを含む。
【００７３】
例えば、図３、図５、図６、および図８から図１１までに示される任意のブラウジングモードにおいて、図における楕円領域はリセット領域であり、図における楕円領域は、現在のコンテンツカードをスタッキングモードに切り替えるようにタップされる。
【００７４】
本発明の実施形態はさらに、複数のスタックされたコンテンツカードを表示する端末を提供する。例えば、複数のコンテンツカードは現在のコンテンツカードおよび少なくとも１つのスタックされたコンテンツカードを含む。現在のコンテンツカードの表示領域は、縁部領域およびコンテンツ表示領域に分割され、縁部領域は上部縁部領域および下部縁部領域を含む。
【００７５】
図１２は、本発明の実施形態に係る複数のコンテンツカードを表示する端末の概略構造図である。図１２に示されるように、端末は、指スライドの開始位置およびスライド方向を検出するように構成された検出モジュール１２０１と、表示モードに基づくコンテンツカードに関する実行動作、開始位置と現在のコンテンツカードのコンテンツ表示領域との間の位置関係、スライド方向、および現在のコンテンツカードの上部または下部と予め定められた領域との間の関係を判断するように構成された処理モジュール１２０２とを含み、ここで、実行動作は、スタッキングモードとブラウジングモードとの間を切り替えること、および、ブラウジングモードにおける隣接するコンテンツカードのコンテンツを連続的に表示することのうちの少なくとも１つを含み、ここで、隣接するコンテンツカードは、現在のコンテンツカードと、少なくとも１つのスタックされたコンテンツカードのうちの１つであり、かつ現在のコンテンツカードに隣接するコンテンツカードとを含む。
【００７６】
例えば、開始位置がコンテンツカードの縁部領域内にあることに応じて、処理モジュールによって実施されるコンテンツカードに関する実行動作は、現在のコンテンツカードを、少なくとも１つのスタックされたコンテンツカードのうちの１つであり、かつ現在のコンテンツカードに隣接するコンテンツカードに切り替えることである。
【００７７】
さらに、例えば、処理モジュールによってカードに関する実行動作を判断することは、開始位置が上部縁部領域内にあること、およびスライド方向が下向きであることに応じて、カードに関する実行動作が、現在のコンテンツカードを少なくとも１つのスタックされたコンテンツカードのうちの以前のコンテンツカードに切り替えることであることを含む。
【００７８】
例えば、図２に示されるように、現在のコンテンツカードがスタッキングモードにあり、タイトルが「ホームページ」であり、指スライドの開始位置が上部縁部領域内にあり、スライド方向が下向きである。この場合、コンテンツカードに関する実行動作は、タイトルが「ニュース」である、隣接する以前のコンテンツカードに切り替えることである。
【００７９】
例えば、図３に示されるように、現在のコンテンツカードはブラウジングモードにあり、指スライドの開始位置は上部縁部領域内にあり、スライド方向は下向きである。この場合、コンテンツカードに関する実行動作は、タイトルが「ニュース」である、隣接する以前のコンテンツカードに切り替えることである。
【００８０】
他の態様において、例えば、開始位置が下部縁部領域内にあること、およびスライド方向が上向きであることに応じて、現在のコンテンツカードは、少なくとも１つのスタックされたコンテンツカードのうちの次のコンテンツカードに切り替えられる。
【００８１】
例えば、図４に示されるように、段階１０２において、現在のコンテンツカードはスタッキングモードにあり、タイトルは「音楽」であり、指スライドの開始位置はカードの下部縁部領域内にあり、スライド方向は上向きである。この場合、コンテンツカードに関する実行動作は、タイトルが「ニュース」である、隣接する次のコンテンツカードに切り替えることである。
【００８２】
例えば、図５に示されるように、段階１０２において、現在のコンテンツカードはブラウジングモードにあり、指スライドの開始位置はカードの下部縁部領域内にあり、スライド方向は上向きである。この場合、コンテンツカードに関する実行動作は、タイトルが「ゲーム支援」である、隣接する次のコンテンツカードに切り替えることである。
【００８３】
例えば、予め定められた領域は第１の予め定められた領域を含み、処理モジュールによってカードに関する実行動作を判断することは、現在のコンテンツカードがスタッキングモードにあること、開始位置がコンテンツ表示領域内にあること、スライド方向が上向きであること、および現在のコンテンツカードの上部が第１の予め定められた領域内にあることに応じて、スタッキングモードからブラウジングモードへ切り替えること、および、現在のコンテンツカードのコンテンツ表示領域においてカードコンテンツを上向きに移動することを含む。
【００８４】
例えば、図６に示されるように、第１の予め定められた領域は破線のボックスによって示される領域であり、上部はタイトル「ホームページ」のヘッドである。現在のコンテンツカードは、タイトルが「ホームページ」であるコンテンツカードであり、カードはスタッキングモードにあり、指スライドの開始位置はカードのコンテンツ表示領域内にあり、スライド方向は上向きであり、したがって、カードのタイトル「ホームページ」のヘッドは、破線のボックスによって示される領域に入る。この場合、カードはスタッキングモードからブラウジングモードに切り替えられ、カードコンテンツは、現在のコンテンツカードのコンテンツ表示領域において上向きに移動され、ユーザは、ブラウジングモードに切り替える間、下向きのブラウジングを続けることができる。
【００８５】
例えば、処理モジュールによってカードに関する実行動作を判断することは、現在のコンテンツカードがスタッキングモードにあること、開始位置がコンテンツ表示領域内にあること、およびスライド方向が下向きであることに応じて、現在のコンテンツカードを、少なくとも１つのスタックされたコンテンツカードのうちの以前のコンテンツカードに切り替えることを含む。
【００８６】
例えば、図７に示されるように、現在のコンテンツカードはタイトルが「音楽」であるコンテンツカードであり、カードはスタッキングモードにあり、指スライドの開始位置はカードのコンテンツ表示領域内にあり、スライド方向は下向きである。この場合、現在のコンテンツカードは、少なくとも１つのスタックされたコンテンツカードのうちの以前のコンテンツカード、すなわち、タイトルが「ホームページ」であるコンテンツカードに切り替えられる。
【００８７】
例えば、処理モジュールによってカードに関する実行動作を判断することは、現在のコンテンツカードがブラウジングモードにあること、開始位置がコンテンツ表示領域内にあること、およびコンテンツ表示領域がカードコンテンツの端部を含まないことに応じて、現在のコンテンツカードのコンテンツ表示領域においてカードコンテンツを移動することを含む。
【００８８】
さらに、例えば、処理モジュールによってカードに関する実行動作を判断することは、現在のコンテンツカードがブラウジングモードにあること、開始位置がコンテンツ表示領域内にあること、コンテンツ表示領域がカードコンテンツの端部を含まないこと、およびスライド方向が上向きであることに応じて、現在のコンテンツカードのコンテンツ表示領域においてカードコンテンツを上向きに移動することを含む。
【００８９】
例えば、図８に示されるように、段階１０２において、現在のコンテンツカードはブラウジングモードにあり、コンテンツ表示領域はカードコンテンツの端部を含まず、開始位置はコンテンツ表示領域内にあり、スライド方向は上向きである。この場合、カードコンテンツは現在のコンテンツカードのコンテンツ表示領域において上向きに移動され、ユーザは、「誕生日リマインド」部分を下向きにブラウジングし続けることができる。
【００９０】
さらに、処理モジュールによってカードに関する実行動作を判断することは、現在のコンテンツカードがブラウジングモードにあること、開始位置がコンテンツ表示領域内にあること、コンテンツ表示領域がカードコンテンツの端部を含まないこと、およびスライド方向が下向きであることに応じて、現在のコンテンツカードのコンテンツ表示領域においてカードコンテンツを下向きに移動することを含む。
【００９１】
例えば、図９に示されるように、現在のコンテンツカードはブラウジングモードにあり、コンテンツ表示領域はカードコンテンツの端部を含まず、開始位置はコンテンツ表示領域内にあり、スライド方向は下向きである。この場合、カードコンテンツは現在のコンテンツカードのコンテンツ表示領域において下向きに移動され、ユーザは「会合を終了」部分を上向きにブラウジングし続けることができる。
【００９２】
例えば、予め定められた領域は第２の予め定められた領域を含み、処理モジュールによってカードに関する実行動作を判断することは、現在のコンテンツカードがブラウジングモードにあること、開始位置がコンテンツ表示領域内にあること、スライド方向が下向きであること、コンテンツ表示領域がカードコンテンツの上部を含むこと、および現在のコンテンツカードの上部が第２の予め定められた領域内にあることに応じて、現在のコンテンツカードの表示モードをブラウジングモードからスタッキングモードに切り替えることを含む。コンテンツカードの上部は、一般にタイトルを有する。第１の予め定められた領域および第２の予め定められた領域は、同じ領域ではないことに留意すべきである。
【００９３】
例えば、図１０に示されるように、第２の予め定められた領域は破線のボックスによって示される領域であり、上部はタイトル「ホームページ」のヘッドである。段階１０２において、現在のコンテンツカードはブラウジングモードであり、タイトルは「ホームページ」であり、タイトル「ホームページ」のヘッドは現在のコンテンツ表示領域において表示され、現在表示されている画面がすでにカードコンテンツの上部、すなわちコンテンツの開始端を含むこと、指スライドの開始位置はコンテンツ表示領域内にあること、およびスライド方向は下向きであることを示し、したがって、カードのタイトル「ホームページ」のヘッドは、破線のボックスによって示される領域に入る。この場合、コンテンツカードに関する実行動作は、ブラウジングモードをスタッキングモードに戻すように切り替える。
【００９４】
例えば、予め定められた領域は第３の予め定められた領域を含み、処理モジュールによってカードに関する実行動作を判断することは、現在のコンテンツカードがブラウジングモードにあること、開始位置がコンテンツ表示領域内にあること、スライド方向が上向きであること、コンテンツ表示領域がカードコンテンツの下部を含むこと、および現在のコンテンツカードの下部が第３の予め定められた領域内にあることに応じて、隣接するコンテンツカードのコンテンツを連続的に表示することを含み、ここで、隣接するコンテンツカードのコンテンツを連続的に表示することは、現在のコンテンツカードの下部および現在のコンテンツカードに隣接するコンテンツカードの上部を表示することを含む。コンテンツカードの下部は、「ｅｎｄ」などの、終了を示す語またはパターンを含む。第１の予め定められた領域、第２の予め定められた領域、および第３の予め定められた領域は、同じ領域ではないことに留意すべきである。
【００９５】
例えば、図１１に示されるように、第３の予め定められた領域は破線のボックスによって示される領域であり、現在のコンテンツカードの下部は、タイトル語「ｅｎｄ」である。現在のコンテンツカードはブラウジングモードにあり、タイトルは「ホームページ」であり、単語「ｅｎｄ」は現在のコンテンツ表示領域において表示され、現在表示されている画面がすでにカードコンテンツの下部、すなわちコンテンツの端部を含むこと、指スライドの開始位置はコンテンツ表示領域内にあること、およびスライド方向は上向きであることを示し、したがって、カードの単語「ｅｎｄ」は、破線のボックスによって示される領域に入る。この場合、コンテンツカードに関する実行動作は、隣接するコンテンツカードのコンテンツを連続的に表示することであり、具体的には、トップのカードの端部に交通リマインド部分および誕生日リマインド部分を表示し、次のコンテンツカードの開始部にゲーム支援部分を表示することである。
【００９６】
図６、図１０、および図１１に示される実施形態において、第１の予め定められた領域、第２の予め定められた領域、および第３の予め定められた領域は、同じ領域ではないことに留意すべきである。３つの領域の分割は、対応するスライドが特定の位置または特定の程度に達することを保証することであり、したがって、携帯電話は、指定された動作を、スライドの大きさが比較的小さい偽のタッチ操作から区別することができる。
【００９７】
例えば、リセット領域はさらに、携帯電話の画面上に予め設定され、検出モジュール１２０１は指のタップ位置を検出し、処理モジュールによってカードに関する実行動作を判断する段階はさらに、タップ位置が予め設定されたリセット領域内にあること、および現在のコンテンツカードがスタッキングモードにあることに応じて、現在のコンテンツカードを複数のコンテンツカードのうちの予め定められたコンテンツカードに切り替える段階を含む。
【００９８】
例えば、図２、図４、図６、図７、または図１０における任意のスタッキングモードにおいて、図における楕円領域はリセット領域であり、図における楕円領域は、現在のコンテンツカードから予め定められたコンテンツカード、例えば、タイトルが「ホームページ」であるコンテンツカードに切り替えるようにタップされる。
【００９９】
例えば、リセット領域はさらに、携帯電話の画面上に予め設定され、検出モジュール１２０１は指のタップ位置を検出し、処理モジュールによってコンテンツカードに関する実行動作を判断する段階はさらに、タップ位置が予め設定されたリセット領域内にあること、および現在のコンテンツカードがブラウジングモードにあることに応じて、ブラウジングモードからスタッキングモードに切り替える段階を含む。
【０１００】
例えば、図３、図５、図６および図８から図１１に示される任意のブラウジングモードにおいて、図における楕円領域はリセット領域であり、図における楕円領域は、現在のコンテンツカードをスタッキングモードに切り替えるようにタップされる。
【０１０１】
本発明の複数の実施形態で開示された方法は、複数の端末に適用され得る。
【０１０２】
図１３は、本発明の実施形態に係る端末の概略構造図である。端末は、上述の方法の実施形態に記された方法を実施するように構成される。
【０１０３】
本発明のこの実施形態における端末は、携帯電話であり得る。携帯電話が例として用いられる。図１３に示されるように、本発明のこの実施形態における電子デバイスは、以下の部品を含む。入力ユニット１３０１、プロセッサユニット１３０２、通信ユニット１３０３、出力ユニット１３０４、ストレージユニット１３０５、ペリフェラルインタフェース１３０６、および電源１３０７。本発明のこの実施形態において、入力ユニット１３０１および出力ユニット１３０４の両者はタッチパネルであり、プロセッサユニット１３０２はプロセッサであり、１または複数の携帯電話チップであり得、ストレージユニット１３０５はメモリである。
【０１０４】
入力ユニット１３０１は、ユーザと端末との間のインタラクションを実施するように、および／または端末に情報を入力するように構成される。例えば、入力ユニット１３０１はユーザ設定または機能制御に関連する信号入力を生成するように、ユーザによって入力されたディジットまたはキャラクタ情報を受信し得る。本発明のこの実施形態の具体的な実施において、入力ユニット１３０１はタッチパネルであり得、実体的な入力キーまたはマイクなどの、別のマンマシンインタラクションインタフェースであり得、または、カメラなどの、別の外部情報取得装置であり得る。また、タッチスクリーンともみなされるタッチパネルは、ユーザのタッチまたはタッチパネルへの接近の操作の動作を収集し得る。例えば、ユーザはタッチパネル上で、またはタッチパネルの近傍の位置で、指またはスタイラスなどの、適宜任意のオブジェクトまたはアクセサリを用いることによって操作の動作を実行し、対応する接続装置が、予め設定されたプログラムに基づいて駆動される。オプションで、タッチパネルは２つの部分を含み得る。タッチ検出装置およびタッチコントローラである。タッチ検出装置はユーザのタッチ操作を検出し、検出されたタッチ操作を電気信号に変換し、電気信号をタッチコントローラに送信する。タッチコントローラは、タッチ検出装置から電気信号を受信し、電気信号をタッチポイント座標に変換し、そして、タッチポイント座標をプロセッサユニット１３０２に送信する。タッチコントローラはさらに、処理ユニットによって送信されるコマンドを受信および実行し得る。加えて、タッチパネルは、抵抗タイプ、静電容量タイプ、赤外線、および表面音響波などの複数のタイプで実施され得る。本発明のこの実施形態の別の実施において、入力ユニット１３０１によって用いられる実体的な入力キーは、１または複数の物理的なキーボード、機能キー（例えば、ボリューム制御キー、またはオン／オフキー）、トラックボール、マウス、ジョイスティックなどを含み得るが、それらに限定されるものではない。マイクの形の入力ユニット１３０１は、ユーザまたは環境によって入力された音声を収集し得、音声を、電気信号の形であり、プロセッサユニットによって実行することができるコマンドに変換し得る。
【０１０５】
本発明のこの実施形態のいくつかの他の実施において、入力ユニット１３０１は代わりに、例えば、力、トルク、圧力、応力、位置、変位、速度、加速度、角度、角速度、回転量、回転速度、および、作動ステータスが変化する継続時間といった端末の物理量を検出するように構成されたホール（Ｈａｌｌ）構成要素、などの様々な感知構成要素であり得、検出および制御のために物理量を電気量に変換する。いくつかの他の感知構成要素は、さらに、重力センサ、三軸加速度計、ジャイロスコープなどを含み得る。
【０１０６】
プロセッサユニット１３０２は、端末の制御中心として、様々なインタフェースおよび回線を用いることによって、端末全体の様々な部品と接続され、端末の様々な機能を実施し、および／または、ソフトウェアプログラム、および／またはストレージユニット１３０５に格納されたモジュールを実行し、ストレージユニット１３０５に格納されたデータを呼び出すことによって、データを処理する。プロセッサユニット１３０２は集積回路を含み得る。例えば、プロセッサユニットは単一のパッケージ化された集積回路であり得、または、同一の機能または異なる機能の複数のパッケージ化された集積回路の結合によって形成され得る。例えば、プロセッサユニット１３０２は中央処理装置のみを含み得、または、通信ユニット１３０３におけるグラフィックス処理装置（Ｇｒａｐｈｉｃｓ  Ｐｒｏｃｅｓｓｉｎｇ  Ｕｎｉｔ、ＧＰＵ）、デジタル信号プロセッサ、および制御チップ（例えば、ベースバンドチップ）の組み合わせであり得る。本発明のこの実施形態の実施において、中央処理装置は、単一のコンピュータ処理コアであり得、または、複数のコンピュータ処理コアを含み得る。
【０１０７】
通信ユニット１３０３は、通信チャネルを確立するように構成され、したがって、端末は通信チャネルを介してリモートサーバに接続され、リモートサーバからメディアデータをダウンロードする。通信ユニット１３０３は、無線ローカルエリアネットワークモジュール、Ｂｌｕｅｔｏｏｔｈ（登録商標）モジュール、またはベースバンドモジュールなどの通信モジュール、および、通信モジュールに対応する無線周波数回路を含み得、無線ローカルエリアネットワーク通信、Ｂｌｕｅｔｏｏｔｈ（登録商標）通信、赤外線通信、および／または、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、および／または高速ダウンリンクパケットアクセス（Ｈｉｇｈ  Ｓｐｅｅｄ  Ｄｏｗｎｌｉｎｋ  Ｐａｃｋｅｔ  Ａｃｃｅｓｓ、ＨＳＤＰＡ）などのセルラ方式の通信システムによる通信を実行するように構成される。通信モジュールは、端末における構成要素の間の通信を制御するように構成され、直接のメモリアクセスをサポートし得る。
【０１０８】
本発明のこの実施形態の異なる実施において、通信ユニットにおける各通信モジュールは、一般に、集積回路チップの形態であり、選択的に一体化され得、すべての通信モジュールおよび対応するアンテナグループを含む必要はない。例えば、通信ユニットは、セルラ方式の通信システムにおいて通信機能を提供するように、ベースバンドチップ、無線周波数チップ、および対応するアンテナのみを含み得る。端末は、通信ユニット、例えば、無線ローカルエリアネットワークアクセスまたはＷＣＤＭＡ（登録商標）アクセスによって確立された無線通信接続を用いて、セルラネットワークまたはインターネットに接続され得る。本発明のこの実施形態のいくつかのオプションの実施において、通信ユニットにおける通信モジュール、例えばベースバンドモジュールは、プロセッサユニットに統合され得る。プロセッサユニットは、一般に、クアルコム（Ｑｕａｌｃｏｍｍ）によって提供されるプラットフォームのＡＰＱ＋ＭＤＭシリーズである。
【０１０９】
無線周波数回路は、情報を送信および受信し、または、呼の最中の信号を送信および受信するように構成される。例えば、基地局のダウンリンク情報を受信した後、ダウンリンク情報はプロセッサユニット１３０２によって処理される。加えて、設計されたアップリンクデータが基地局に送信される。概して、無線周波数回路はこれらの機能を実行するように構成されるパブリック回路を含み、アンテナシステム、無線周波数送受信器、１または複数の増幅器、チューナ、１または複数の発振器、デジタル信号プロセッサ、ＣＯＤＥＣチップセット、加入者識別モジュールカード、メモリなどを含むが、それらに限定されるものではない。加えて、無線周波数回路はさらに、無線通信を介して、ネットワークおよび別のデバイスと通信し得る。任意の通信基準またはプロトコルが、無線通信に関して用いられ得、モバイル通信のためのグローバルシステム（Ｇｌｏｂａｌ  Ｓｙｓｔｅｍ  ｆｏｒ  Ｍｏｂｉｌｅ  ｃｏｍｍｕｎｉｃａｔｉｏｎ、ＧＳＭ（登録商標））、汎用パケット無線サービス（Ｇｅｎｅｒａｌ  Ｐａｃｋｅｔ  Ｒａｄｉｏ  Ｓｅｒｖｉｃｅ、ＧＰＲＳ）、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、高速アップリンクパケットアクセス（Ｈｉｇｈ  Ｓｐｅｅｄ  Ｕｐｌｉｎｋ  Ｐａｃｋｅｔ  Ａｃｃｅｓｓ、ＨＳＵＰＡ）技術、ロングタームエボリューション（Ｌｏｎｇ  Ｔｅｒｍ  Ｅｖｏｌｕｔｉｏｎ、ＬＴＥ）、電子メール、ショートメッセージサービス（Ｓｈｏｒｔ  Ｍｅｓｓａｇ  Ｓｅｒｖｉｃｅ、ＳＭＳ）などを含むが、それらに限定されるものではない。
【０１１０】
出力ユニット１３０４は、画像出力ユニットおよび音声出力ユニットを含むが、それらに限定されるものではない。画像出力ユニットは、テキスト、画像、および／またはビデオを出力するように構成される。画像出力ユニットは、表示パネル、例えば、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）、または電界放出ディスプレイ（Ｆｉｅｌｄ  Ｅｍｉｓｓｉｏｎ  Ｄｉｓｐｌａｙ、ＦＥＤ）の形態で構成される表示パネルを含み得る。代わりに、画像出力ユニットは、反射式ディスプレイ、例えば、電気泳動ディスプレイ、または、照明技術の干渉変調を用いたディスプレイを含み得る。画像出力ユニットは、単一のディスプレイ、または異なる寸法の複数のディスプレイを含み得る。本発明のこの実施形態の具体的な実施において、入力ユニット１３０１によって用いられるタッチパネルは、また、出力ユニットの表示パネルとしても用いられ得る。例えば、タッチパネルがタッチまたはタッチパネル上の接近のジェスチャ操作を検出した後、タッチパネルはその操作を、タッチイベントのタイプを判断するプロセッサユニット１３０２に送信し、そして、処理ユニットは、タッチイベントのタイプに基づいて、対応する視覚出力を表示パネルに提供する。図１３において、入力ユニット１３０１および出力ユニットは、端末の入出力機能を実施する２つの個別の部品として用いられるが、いくつかの実施形態において、タッチ制御パネルおよび表示パネルは、端末の入出力機能を実施するように統合され得る。例えば、画像出力ユニットは、仮想制御構成要素として、様々なグラフィカルユーザインタフェース（Ｇｒａｐｈｉｃａｌ  Ｕｓｅｒ  Ｉｎｔｅｒｆａｃｅ、ＧＵＩ）を表示し得る。グラフィカルユーザインタフェースは、ウィンドウ、スクロールバー、アイコン、クリップボードを含むがそれらに限定されるものではなく、したがって、ユーザはタッチ制御の態様で操作を実行する。
【０１１１】
本発明のこの実施形態の具体的な実施において、画像出力ユニットは、プロセッサユニット１３０２によって出力されるビデオをフィルタリングおよび増幅するように構成される、フィルタおよび増幅器を含む。音声出力ユニットはデジタル−アナログ変換器を含み、デジタル−アナログ変換器はプロセッサユニットによって、音声信号出力をデジタル形式からアナログ形式に変換するように構成される。
【０１１２】
ストレージユニット１３０５は、ソフトウェアプログラムおよびモジュールを格納するように構成され得る。プロセッサユニット１３０２は、端末の様々な機能アプリケーションを実行し、ストレージユニット１３０５に格納されたソフトウェアプログラムおよびモジュールを実行することによってデータを処理する。ストレージユニット１３０５は主に、プログラム格納領域およびデータ格納領域を含む。プログラム格納領域は、サウンド再生プログラムおよび画像再生プログラムなどの、少なくとも１つの機能によって所望されるオペレーティングシステムおよびアプリケーションプログラムを格納し得る。データ格納領域は、端末の使用に基づいて形成される（音声データまたは電話帳などの）データなどを格納し得る。本発明のこの実施形態の具体的な実施において、ストレージユニット１３０５は、不揮発性ランダムアクセスメモリ（Ｎｏｎｖｏｌａｔｉｌｅ  Ｒａｎｄｏｍ  Ａｃｃｅｓｓ  Ｍｅｍｏｒｙ、ＮＶＲＡＭ）、相変化ランダムアクセスメモリ（Ｐｈａｓｅ  Ｃｈａｎｇｅ  ＲＡＭ、ＰＲＡＭ）、または、磁気抵抗ランダムアクセスメモリ（ｍａｇｎｅｔｏ−ｒｅｓｉｓｔｉｖｅ  ＲＡＭ、略してＭＲＡＭ）、などの揮発性メモリを含み得、または、少なくとも１つの磁気ディスクストレージ構成要素、電気的消去可能プログラム可能リードオンリーメモリ（Ｅｌｅｃｔｒｉｃａｌｌｙ  Ｅｒａｓａｂｌｅ  Ｐｒｏｇｒａｍｍａｂｌｅ  Ｒｅａｄ−ｏｎｌｙ  Ｍｅｍｏｒｙ、ＥＥＰＲＯＭ）、またはＮＯＲフラッシュメモリまたはＮＡＮＤフラッシュメモリなどのフラッシュ構成要素などの、不揮発性メモリを含み得る。不揮発性メモリは、プロセッサユニット１３０２によって実行されるオペレーティングシステムおよびアプリケーションプログラムを格納する。プロセッサユニット１３０２は、不揮発性メモリからメモリへ実行プログラムおよびデータをロードし、大規模ストレージ装置内にデータコンテンツを格納する。オペレーティングシステムは、メモリ管理、ストレージデバイス制御および電力管理などの一定のシステムタスクを制御および管理するように構成され、すべてのタイプのソフトウェアおよびハードウェアとの間の通信を容易にする様々な構成要素および／またはドライバを含む。本発明のこの実施形態の実施において、オペレーティングシステムは、ＧｏｏｇｌｅのＡｎｄｒｏｉｄ（登録商標）システム、Ａｐｐｌｅによって開発されたｉＯＳシステム、Ｍｉｃｒｏｓｏｆｔによって開発されたＷｉｎｄｏｗｓ（登録商標）オペレーティングシステムなどであり得、または、ＶｘＷｏｒｋｓなどの組み込みオペレーティングシステムであり得る。
【０１１３】
アプリケーションプログラムは端末上にインストールされた任意のアプリケーションを含み、ブラウザ、電子メール、インスタントメッセージングサービス、単語処理、キーボード仮想化、ウィンドウウィジェット、暗号化、デジタル権利管理、音声識別、音声複製、位置決定（グローバルポジショニングシステムによって提供される機能など）、音楽再生などを含むが、それらに限定されるものではない。
【０１１４】
電源１３０７は、端末の異なる部品の動作を維持すべく、その部品に電力を供給するように構成される。概して、電源はビルトインバッテリ、例えば、一般的なリチウムイオンバッテリ、またはＮｉＭＨバッテリであり得、または、電力を端末に直接供給する外部電源、例えば、ＡＣアダプタを含む。本発明のこの実施形態のいくつかの実施において、電源はまた、より広い範囲で定義され得る。例えば、電源はさらに、電力管理システム、課金システム、電力障害検出回路、電力コンバータまたはインバータ、電力ステータスインジケータ（発光ダイオードなど）、および、電力生成、管理、および端末への分配に関連する任意の他の構成要素を含み得る。
【０１１５】
ユーザが端末を用いるとき、入力デバイス１３０１は情報またはユーザ入力を受信し、ストレージデバイス１３０５は対応するコードおよびプロセスの処理に関連するコンフィギュレーションデータまたはユーザデータを格納し、プロセッサ１３０２は対応するコードを動作させ、対応するインタフェースおよびデータを生成および出力するように、受信された情報を処理することに、留意すべきである。対応するインタフェースおよびデータは、出力ユニット１３０４によってユーザに最後に示される。
【０１１６】
加えて、本発明のこの実施形態はさらに、端末の入力ユニット１３０１の改良を提供し、より詳細には、入力ユニット１３０１の表示画面の駆動回路の改良を提供する。
【０１１７】
加えて、本発明のこの実施形態はさらに、端末の通信ユニットの改良を提供し、より詳細には、通信ユニットの無線周波数回路の改良を提供する。
【０１１８】
加えて、本発明のこの実施形態において、携帯電話が左手に保持されているか右手に保持されているかがセンサを用いて確認され、インタフェースは結果の判断に基づいて調整される。本発明のこの実施形態の例において、入力ユニット１３０１は対応するセンサである。
【０１１９】
本発明のこの実施形態はさらに、コンピュータ可読記憶媒体を提供することに留意すべきである。コンピュータ可読記憶媒体はコンピュータプログラムを格納し、プログラムはプロセッサユニット１３０２によって実行される。
【０１２０】
本発明のこの実施形態はさらに、命令を含むコンピュータプログラムプロダクトを提供する。コンピュータプログラムプロダクトがコンピュータによって実行されるとき、プロセッサユニット１３０２は図１に説明された方法を実行することを可能にされる。
【０１２１】
本明細書において開示される実施形態において説明される方法またはアルゴリズムの段階は、ハードウェア、プロセッサによって実行されるソフトウェアモジュール、またはそれらの組み合わせによって実施され得る。ソフトウェア命令は、対応するソフトウェアモジュールを含み得る。ソフトウェアモジュールは、ランダムアクセスメモリ、フラッシュメモリ、リードオンリーメモリ、消去可能プログラム可能リードオンリーメモリ（ｅｒａｓａｂｌｅ  ｐｒｏｇｒａｍｍａｂｌｅ  ｒｅａｄ−ｏｎｌｙ  ｍｅｍｏｒｙ、ＥＰＲＯＭ）、電気的消去可能プログラム可能リードオンリーメモリ（英語：ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ、ＥＥＰＲＯＭ）、ハードディスク、光ディスク、または当該技術分野で周知の任意の他の形態の記憶媒体に格納され得る。例えば、記憶媒体はプロセッサに結合され、したがって、プロセッサは記憶媒体から情報を読み取り、または、記憶媒体に情報を書き込むことができる。記憶媒体はまた、プロセッサの構成要素であり得る。プロセッサおよび記憶媒体は、ディスクリートな構成要素としてユーザ機器内に存在し得る。
【０１２２】
本願の目的、技術的解決法、および利益はさらに、上述の具体的な実施において詳細に説明される。上述の記載は本願の具体的な実施にすぎず、本願の保護範囲を限定することを目的としないことが理解されるべきである。本願の技術的解決法に基づいてされた任意の改変または改良は、本願の保護範囲内にあるものとする。
【図１】
2020537214.tif 000003
【図２】
2020537214.tif 000004
【図３】
2020537214.tif 000005
【図４】
2020537214.tif 000006
【図５】
2020537214.tif 000007
【図６】
2020537214.tif 000008
【図７】
2020537214.tif 000009
【図８】
2020537214.tif 000010
【図９】
2020537214.tif 000011
【図１０】
2020537214.tif 000012
【図１１】
2020537214.tif 000013
【図１２】
2020537214.tif 000014
【図１３】
2020537214.tif 000015
【手続補正書】
【提出日】令和2年4月20日(2020.4.20)
【手続補正１】
【補正対象書類名】明細書
【補正対象項目名】０１０９
【補正方法】変更
【補正の内容】
【０１０９】
無線周波数回路は、情報を送信および受信し、または、呼の最中の信号を送信および受信するように構成される。例えば、基地局のダウンリンク情報を受信した後、ダウンリンク情報はプロセッサユニット１３０２によって処理される。加えて、設計されたアップリンクデータが基地局に送信される。概して、無線周波数回路はこれらの機能を実行するように構成されるパブリック回路を含み、アンテナシステム、無線周波数送受信器、１または複数の増幅器、チューナ、１または複数の発振器、デジタル信号プロセッサ、ＣＯＤＥＣチップセット、加入者識別モジュールカード、メモリなどを含むが、それらに限定されるものではない。加えて、無線周波数回路はさらに、無線通信を介して、ネットワークおよび別のデバイスと通信し得る。任意の通信基準またはプロトコルが、無線通信に関して用いられ得、モバイル通信のためのグローバルシステム（Ｇｌｏｂａｌ  Ｓｙｓｔｅｍ  ｆｏｒ  Ｍｏｂｉｌｅ  ｃｏｍｍｕｎｉｃａｔｉｏｎ、ＧＳＭ（登録商標））、汎用パケット無線サービス（Ｇｅｎｅｒａｌ  Ｐａｃｋｅｔ  Ｒａｄｉｏ  Ｓｅｒｖｉｃｅ、ＧＰＲＳ）、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））、高速アップリンクパケットアクセス（Ｈｉｇｈ  Ｓｐｅｅｄ  Ｕｐｌｉｎｋ  Ｐａｃｋｅｔ  Ａｃｃｅｓｓ、ＨＳＵＰＡ）技術、ロングタームエボリューション（Ｌｏｎｇ  Ｔｅｒｍ  Ｅｖｏｌｕｔｉｏｎ、ＬＴＥ）、電子メール、ショートメッセージサービス（Ｓｈｏｒｔ  Ｍｅｓｓａｇｅ  Ｓｅｒｖｉｃｅ、ＳＭＳ）などを含むが、それらに限定されるものではない。
【手続補正２】
【補正対象書類名】明細書
【補正対象項目名】０１１０
【補正方法】変更
【補正の内容】
【０１１０】
出力ユニット１３０４は、画像出力ユニットおよび音声出力ユニットを含むが、それらに限定されるものではない。画像出力ユニットは、テキスト、画像、および／またはビデオを出力するように構成される。画像出力ユニットは、表示パネル、例えば、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）、または電界放出ディスプレイ（Ｆｉｅｌｄ  Ｅｍｉｓｓｉｏｎ  Ｄｉｓｐｌａｙ、ＦＥＤ）の形態で構成される表示パネルを含み得る。代わりに、画像出力ユニットは、反射式ディスプレイ、例えば、電気泳動ディスプレイ、または、照明技術の干渉変調を用いたディスプレイを含み得る。画像出力ユニットは、単一のディスプレイ、または異なる寸法の複数のディスプレイを含み得る。本発明のこの実施形態の具体的な実施において、入力ユニット１３０１によって用いられるタッチパネルは、また、出力ユニットの表示パネルとしても用いられ得る。例えば、タッチパネルがタッチまたはタッチパネル上の接近のジェスチャ操作を検出した後、タッチパネルはその操作を、タッチイベントのタイプを判断するプロセッサユニット１３０２に送信し、そして、プロセッサユニットは、タッチイベントのタイプに基づいて、対応する視覚出力を表示パネルに提供する。図１３において、入力ユニット１３０１および出力ユニットは、端末の入出力機能を実施する２つの個別の部品として用いられるが、いくつかの実施形態において、タッチ制御パネルおよび表示パネルは、端末の入出力機能を実施するように統合され得る。例えば、画像出力ユニットは、仮想制御構成要素として、様々なグラフィカルユーザインタフェース（Ｇｒａｐｈｉｃａｌ  Ｕｓｅｒ  Ｉｎｔｅｒｆａｃｅ、ＧＵＩ）を表示し得る。グラフィカルユーザインタフェースは、ウィンドウ、スクロールバー、アイコン、クリップボードを含むがそれらに限定されるものではなく、したがって、ユーザはタッチ制御の態様で操作を実行する。
【手続補正３】
【補正対象書類名】明細書
【補正対象項目名】０１１２
【補正方法】変更
【補正の内容】
【０１１２】
ストレージユニット１３０５は、ソフトウェアプログラムおよびモジュールを格納するように構成され得る。プロセッサユニット１３０２は、端末の様々な機能アプリケーションを実行し、ストレージユニット１３０５に格納されたソフトウェアプログラムおよびモジュールを実行することによってデータを処理する。ストレージユニット１３０５は主に、プログラム格納領域およびデータ格納領域を含む。プログラム格納領域は、サウンド再生プログラムおよび画像再生プログラムなどの、少なくとも１つの機能によって所望されるオペレーティングシステムおよびアプリケーションプログラムを格納し得る。データ格納領域は、端末の使用に基づいて形成される（音声データまたは電話帳などの）データなどを格納し得る。本発明のこの実施形態の具体的な実施において、ストレージユニット１３０５は、揮発性ランダムアクセスメモリ（Ｖｏｌａｔｉｌｅ  Ｒａｎｄｏｍ  Ａｃｃｅｓｓ  Ｍｅｍｏｒｙ、ＶＲＡＭ）、相変化ランダムアクセスメモリ（Ｐｈａｓｅ  Ｃｈａｎｇｅ  ＲＡＭ、ＰＲＡＭ）、または、磁気抵抗ランダムアクセスメモリ（ｍａｇｎｅｔｏ−ｒｅｓｉｓｔｉｖｅ  ＲＡＭ、略してＭＲＡＭ）、などの揮発性メモリを含み得、または、少なくとも１つの磁気ディスクストレージ構成要素、電気的消去可能プログラム可能リードオンリーメモリ（Ｅｌｅｃｔｒｉｃａｌｌｙ  Ｅｒａｓａｂｌｅ  Ｐｒｏｇｒａｍｍａｂｌｅ  Ｒｅａｄ−ｏｎｌｙ  Ｍｅｍｏｒｙ、ＥＥＰＲＯＭ）、またはＮＯＲフラッシュメモリまたはＮＡＮＤフラッシュメモリなどのフラッシュ構成要素などの、不揮発性メモリを含み得る。不揮発性メモリは、プロセッサユニット１３０２によって実行されるオペレーティングシステムおよびアプリケーションプログラムを格納する。プロセッサユニット１３０２は、不揮発性メモリからメモリへ実行プログラムおよびデータをロードし、大規模ストレージ装置内にデータコンテンツを格納する。オペレーティングシステムは、メモリ管理、ストレージデバイス制御および電力管理などの一定のシステムタスクを制御および管理するように構成され、すべてのタイプのソフトウェアおよびハードウェアとの間の通信を容易にする様々な構成要素および／またはドライバを含む。本発明のこの実施形態の実施において、オペレーティングシステムは、ＧｏｏｇｌｅのＡｎｄｒｏｉｄ（登録商標）システム、Ａｐｐｌｅによって開発されたｉＯＳシステム、Ｍｉｃｒｏｓｏｆｔによって開発されたＷｉｎｄｏｗｓ（登録商標）オペレーティングシステムなどであり得、または、ＶｘＷｏｒｋｓなどの組み込みオペレーティングシステムであり得る。
【手続補正４】
【補正対象書類名】明細書
【補正対象項目名】０１２２
【補正方法】変更
【補正の内容】
【０１２２】
本願の目的、技術的解決法、および利益はさらに、上述の具体的な実施において詳細に説明される。上述の記載は本願の具体的な実施にすぎず、本願の保護範囲を限定することを目的としないことが理解されるべきである。本願の技術的解決法に基づいてされた任意の改変または改良は、本願の保護範囲内にあるものとする。
（項目１）
端末上に複数のコンテンツカードを表示する方法であって、上記複数のコンテンツカードは、現在のコンテンツカードおよび少なくとも１つのスタックされたコンテンツカードを含み、上記複数のコンテンツカードの表示モードは、スタッキングモードおよびブラウジングモードを含み、上記スタッキングモードにおいて、上記現在のコンテンツカードのコンテンツおよび上記少なくとも１つのスタックされたコンテンツカードの縁部が表示され、上記ブラウジングモードにおいて、上記現在のコンテンツカードの上記コンテンツが全画面で表示され、上記現在のコンテンツカードの表示領域は、縁部領域およびコンテンツ表示領域に分割され、
上記方法は、
指スライドの開始位置およびスライド方向を検出する段階と、
上記表示モードに基づく上記コンテンツカードに関する実行動作、上記開始位置と上記現在のコンテンツカードの上記コンテンツ表示領域との間の位置関係、上記スライド方向、および上記現在のコンテンツカードの上部または下部と予め定められた領域との間の関係を判断する段階とを含み、上記実行動作は、上記スタッキングモードと上記ブラウジングモードとの間を切り替える段階、および上記ブラウジングモードにおける隣接するコンテンツカードのコンテンツを連続的に表示する段階のうちの少なくとも１つを含み、上記隣接するコンテンツカードは、上記現在のコンテンツカードと、上記少なくとも１つのスタックされたコンテンツカードのうちの１つであり、かつ上記現在のコンテンツカードに隣接するコンテンツカードとを含む、
方法。
（項目２）
上記予め定められた領域は第１の予め定められた領域を含み、上記コンテンツカードに関する実行動作を判断する上記段階は、
上記現在のコンテンツカードが上記スタッキングモードにあること、上記開始位置が上記コンテンツ表示領域内にあること、上記スライド方向が上向きであること、および、上記現在のコンテンツカードの上記上部が上記第１の予め定められた領域内にあることに応じて、上記スタッキングモードから上記ブラウジングモードへ切り替える段階と、上記現在のコンテンツカードの上記コンテンツ表示領域においてカードコンテンツを上向きに移動する段階とを含む、
項目１に記載の方法。
（項目３）
上記予め定められた領域は第２の予め定められた領域を含み、上記コンテンツカードに関する実行動作を判断する上記段階は、
上記現在のコンテンツカードが上記ブラウジングモードにあること、上記開始位置が上記コンテンツ表示領域内にあること、上記コンテンツ表示領域がカードコンテンツの上部を含むこと、上記スライド方向が下向きであること、および、上記現在のコンテンツカードの上記上部が上記第２の予め定められた領域内にあることに応じて、上記現在のコンテンツカードの表示モードを上記ブラウジングモードから上記スタッキングモードに切り替える段階を含む、
項目１または２に記載の方法。
（項目４）
上記予め定められた領域は第３の予め定められた領域を含み、上記コンテンツカードに関する実行動作を判断する上記段階は、
上記現在のコンテンツカードが上記ブラウジングモードにあること、上記開始位置が上記コンテンツ表示領域内にあること、上記コンテンツ表示領域がカードコンテンツの下部を含むこと、上記スライド方向が上向きであること、および、上記現在のコンテンツカードの上記下部が上記第３の予め定められた領域内にあることに応じて、隣接するコンテンツカードのコンテンツを連続的に表示する段階を含み、隣接するコンテンツカードのコンテンツを連続的に表示する上記段階は、上記現在のコンテンツカードの上記下部と上記現在のコンテンツカードに隣接するコンテンツカードの上部とを表示する段階を含む、
項目１から３のいずれか一項に記載の方法。
（項目５）
複数のコンテンツカードを表示する端末であって、上記複数のコンテンツカードは現在のコンテンツカードおよび少なくとも１つのスタックされたコンテンツカードを含み、上記複数のコンテンツカードの表示モードはスタッキングモードおよびブラウジングモードを含み、上記スタッキングモードにおいて、上記現在のコンテンツカードのコンテンツおよび上記少なくとも１つのスタックされたコンテンツカードの縁部が表示され、上記ブラウジングモードにおいて、上記現在のコンテンツカードの上記コンテンツが全画面で表示され、上記現在のコンテンツカードの表示領域は、縁部領域およびコンテンツ表示領域に分割され、上記端末は、
指スライドの開始位置およびスライド方向を検出するように構成された検出モジュールと、
上記表示モード、上記開始位置と上記現在のコンテンツカードの上記コンテンツ表示領域との間の位置関係、上記スライド方向、および上記現在のコンテンツカードの上部または下部と予め定められた領域との間の関係に基づいて、上記コンテンツカードに関する実行動作を判断するように構成された処理モジュールとを含み、上記実行動作は、上記スタッキングモードと上記ブラウジングモードとの間を切り替える段階、および、上記ブラウジングモードにおける隣接するコンテンツカードのコンテンツを連続的に表示する段階のうちの少なくとも１つを含み、上記隣接するコンテンツカードは、上記現在のコンテンツカードと、上記少なくとも１つのスタックされたコンテンツカードのうちの１つであり、かつ上記現在のコンテンツカードに隣接するコンテンツカードとを含む、端末。
（項目６）
上記予め定められた領域は第１の予め定められた領域を含み、上記処理モジュールによって上記コンテンツカードに関する実行動作を判断する上記段階は、
上記現在のコンテンツカードが上記スタッキングモードにあること、上記開始位置が上記コンテンツ表示領域内にあること、上記スライド方向が上向きであること、および上記現在のコンテンツカードの上記上部が上記第１の予め定められた領域内にあることに応じて、上記スタッキングモードから上記ブラウジングモードに切り替える段階と、上記現在のコンテンツカードの上記コンテンツ表示領域においてカードコンテンツを上向きに移動する段階とを含む、
項目５に記載の端末。
（項目７）
上記予め定められた領域は第２の予め定められた領域を含み、上記処理モジュールによって上記コンテンツカードに関する実行動作を判断する上記段階は、
上記現在のコンテンツカードが上記ブラウジングモードにあること、上記開始位置が上記コンテンツ表示領域内にあること、上記コンテンツ表示領域がカードコンテンツの上部を含むこと、上記スライド方向が下向きであること、および上記現在のコンテンツカードの上記上部が上記第２の予め定められた領域内にあることに応じて、上記現在のコンテンツカードの表示モードを上記ブラウジングモードから上記スタッキングモードに切り替える段階を含む、
項目５または６に記載の端末。
（項目８）
上記予め定められた領域は第３の予め定められた領域を含み、上記処理モジュールによって上記コンテンツカードに関する実行動作を判断する上記段階は、
上記現在のコンテンツカードが上記ブラウジングモードにあること、上記開始位置が上記コンテンツ表示領域内にあること、上記コンテンツ表示領域がカードコンテンツの下部を含むこと、上記スライド方向が上向きであること、および上記現在のコンテンツカードの上記下部が上記第３の予め定められた領域内にあることに応じて、隣接するコンテンツカードのコンテンツを連続的に表示する段階を含み、隣接するコンテンツカードのコンテンツを上記連続的に表示する上記段階は、上記現在のコンテンツカードの上記下部と上記現在のコンテンツカードに隣接するコンテンツカードの上部とを表示する段階を含む、
項目５から７のいずれか一項に記載の端末。
（項目９）
メモリと、プロセッサと、上記メモリに格納され、上記プロセッサ上で動作することができるコンピュータプログラムとを含む、複数のコンテンツカードを表示する端末であって、上記複数のコンテンツカードは、現在のコンテンツカードおよび少なくとも１つのスタックされたコンテンツカードを含み、上記複数のコンテンツカードの表示モードは、スタッキングモードおよびブラウジングモードを含み、上記スタッキングモードにおいて、上記現在のコンテンツカードのコンテンツおよび上記少なくとも１つのスタックされたコンテンツカードの縁部が表示され、上記ブラウジングモードにおいて、上記現在のコンテンツカードの上記コンテンツが全画面で表示され、上記現在のコンテンツカードの表示領域は、縁部領域およびコンテンツ表示領域に分割され、上記プログラムが実行されるとき、上記プロセッサは、以下のこと、すなわち、
指スライドの開始位置およびスライド方向を検出する段階と、上記表示モードに基づく上記コンテンツカードに関する実行動作、上記開始位置と上記現在のコンテンツカードの上記コンテンツ表示領域との間の位置関係、上記スライド方向、および上記現在のコンテンツカードの上部または下部と予め定められた領域との間の関係を判断する段階とを実施し、上記実行動作は、
上記スタッキングモードと上記ブラウジングモードとの間を切り替える段階、および、上記ブラウジングモードにおける隣接するコンテンツカードのコンテンツを連続的に表示する段階のうちの少なくとも１つを含み、上記隣接するコンテンツカードは、上記現在のコンテンツカードと、上記少なくとも１つのスタックされたコンテンツカードのうちの１つであり、かつ上記現在のコンテンツカードに隣接するコンテンツカードとを含む、
端末。
（項目１０）
上記予め定められた領域は第１の予め定められた領域を含み、上記プロセッサによって上記コンテンツカードに関する実行動作を判断する上記段階は、
上記現在のコンテンツカードが上記スタッキングモードにあること、上記開始位置が上記コンテンツ表示領域内にあること、上記スライド方向が上向きであること、および上記現在のコンテンツカードの上記上部が上記第１の予め定められた領域内にあることに応じて、上記スタッキングモードから上記ブラウジングモードに切り替える段階と、上記現在のコンテンツカードの上記コンテンツ表示領域においてカードコンテンツを上向きに移動する段階とを含む、
項目９に記載の端末。
（項目１１）
上記予め定められた領域は第２の予め定められた領域を含み、上記プロセッサによって上記コンテンツカードの実行動作を判断する上記段階は、
上記現在のコンテンツカードが上記ブラウジングモードにあること、上記開始位置が上記コンテンツ表示領域内にあること、上記コンテンツ表示領域がカードコンテンツの上部を含むこと、上記スライド方向が下向きであること、および上記現在のコンテンツカードの上記上部が上記第２の予め定められた領域内にあることに応じて、上記現在のコンテンツカードの表示モードを、上記ブラウジングモードから上記スタッキングモードに切り替える段階を含む、
項目９または１０に記載の端末。
（項目１２）
上記予め定められた領域は第３の予め定められた領域を含み、上記プロセッサによって上記コンテンツカードに関する実行動作を判断する上記段階は、
上記現在のコンテンツカードが上記ブラウジングモードにあること、上記開始位置が上記コンテンツ表示領域内にあること、上記コンテンツ表示領域がカードコンテンツの下部を含むこと、上記スライド方向が上向きであること、および上記現在のコンテンツカードの上記下部が上記第３の予め定められた領域内にあることに応じて、隣接するコンテンツカードのコンテンツを連続的に表示する段階を含み、隣接するコンテンツカードのコンテンツを連続的に表示する上記段階は、上記現在のコンテンツカードの上記下部と上記現在のコンテンツカードに隣接するコンテンツカードの上部とを表示する段階を含む、
項目９から１１のいずれか一項に記載の端末。
（項目１３）
命令を含むコンピュータ可読記憶媒体であって、上記命令がコンピュータ上で実行されるとき、上記コンピュータは項目１から４のいずれか一項に記載の方法を実行することを可能にされる、コンピュータ可読記憶媒体。
（項目１４）
命令を含むコンピュータプログラムプロダクトであって、上記プロダクトがコンピュータ上で実行されるとき、上記コンピュータは項目１から４のいずれか一項に記載の方法を実行することを可能にされる、コンピュータプログラムプロダクト。
【手続補正５】
【補正対象書類名】特許請求の範囲
【補正対象項目名】全文
【補正方法】変更
【補正の内容】
【特許請求の範囲】
【請求項１】
端末上に複数のコンテンツカードを表示する方法であって、前記複数のコンテンツカードは、現在のコンテンツカードおよび少なくとも１つのスタックされたコンテンツカードを含み、前記複数のコンテンツカードの表示モードは、スタッキングモードおよびブラウジングモードを含み、前記スタッキングモードにおいて、前記現在のコンテンツカードのコンテンツおよび前記少なくとも１つのスタックされたコンテンツカードの縁部が表示され、前記ブラウジングモードにおいて、前記現在のコンテンツカードの前記コンテンツが全画面で表示され、前記現在のコンテンツカードの表示領域は、縁部領域およびコンテンツ表示領域に分割され、
前記方法は、
指スライドの開始位置およびスライド方向を検出する段階と、
前記表示モードに基づく前記コンテンツカードに関する実行動作、前記開始位置と前記現在のコンテンツカードの前記コンテンツ表示領域との間の位置関係、前記スライド方向、および前記現在のコンテンツカードの上部または下部と予め定められた領域との間の関係を判断する段階とを含み、前記実行動作は、前記スタッキングモードと前記ブラウジングモードとの間を切り替える段階、および前記ブラウジングモードにおける隣接するコンテンツカードのコンテンツを連続的に表示する段階のうちの少なくとも１つを含み、前記隣接するコンテンツカードは、前記現在のコンテンツカードと、前記少なくとも１つのスタックされたコンテンツカードのうちの１つであり、かつ前記現在のコンテンツカードに隣接するコンテンツカードとを含む、
方法。
【請求項２】
前記予め定められた領域は第１の予め定められた領域を含み、前記コンテンツカードに関する実行動作を判断する前記段階は、
前記現在のコンテンツカードが前記スタッキングモードにあること、前記開始位置が前記コンテンツ表示領域内にあること、前記スライド方向が上向きであること、および、前記現在のコンテンツカードの前記上部が前記第１の予め定められた領域内にあることに応じて、前記スタッキングモードから前記ブラウジングモードへ切り替える段階と、前記現在のコンテンツカードの前記コンテンツ表示領域においてカードコンテンツを上向きに移動する段階とを含む、
請求項１に記載の方法。
【請求項３】
前記予め定められた領域は第２の予め定められた領域を含み、前記コンテンツカードに関する実行動作を判断する前記段階は、
前記現在のコンテンツカードが前記ブラウジングモードにあること、前記開始位置が前記コンテンツ表示領域内にあること、前記コンテンツ表示領域がカードコンテンツの上部を含むこと、前記スライド方向が下向きであること、および、前記現在のコンテンツカードの前記上部が前記第２の予め定められた領域内にあることに応じて、前記現在のコンテンツカードの表示モードを前記ブラウジングモードから前記スタッキングモードに切り替える段階を含む、
請求項１または２に記載の方法。
【請求項４】
前記予め定められた領域は第３の予め定められた領域を含み、前記コンテンツカードに関する実行動作を判断する前記段階は、
前記現在のコンテンツカードが前記ブラウジングモードにあること、前記開始位置が前記コンテンツ表示領域内にあること、前記コンテンツ表示領域がカードコンテンツの下部を含むこと、前記スライド方向が上向きであること、および、前記現在のコンテンツカードの前記下部が前記第３の予め定められた領域内にあることに応じて、隣接するコンテンツカードのコンテンツを連続的に表示する段階を含み、隣接するコンテンツカードのコンテンツを連続的に表示する前記段階は、前記現在のコンテンツカードの前記下部と前記現在のコンテンツカードに隣接するコンテンツカードの上部とを表示する段階を含む、
請求項１から３のいずれか一項に記載の方法。
【請求項５】
メモリと、プロセッサと、前記メモリに格納され、前記プロセッサ上で動作することができるコンピュータプログラムとを含む、複数のコンテンツカードを表示する端末であって、前記複数のコンテンツカードは、現在のコンテンツカードおよび少なくとも１つのスタックされたコンテンツカードを含み、前記複数のコンテンツカードの表示モードは、スタッキングモードおよびブラウジングモードを含み、前記スタッキングモードにおいて、前記現在のコンテンツカードのコンテンツおよび前記少なくとも１つのスタックされたコンテンツカードの縁部が表示され、前記ブラウジングモードにおいて、前記現在のコンテンツカードの前記コンテンツが全画面で表示され、前記現在のコンテンツカードの表示領域は、縁部領域およびコンテンツ表示領域に分割され、前記コンピュータプログラムが実行されるとき、前記プロセッサは、以下のこと、すなわち、
指スライドの開始位置およびスライド方向を検出する段階と、前記表示モードに基づく前記コンテンツカードに関する実行動作、前記開始位置と前記現在のコンテンツカードの前記コンテンツ表示領域との間の位置関係、前記スライド方向、および前記現在のコンテンツカードの上部または下部と予め定められた領域との間の関係を判断する段階とを実施し、前記実行動作は、
前記スタッキングモードと前記ブラウジングモードとの間を切り替える段階、および、前記ブラウジングモードにおける隣接するコンテンツカードのコンテンツを連続的に表示する段階のうちの少なくとも１つを含み、前記隣接するコンテンツカードは、前記現在のコンテンツカードと、前記少なくとも１つのスタックされたコンテンツカードのうちの１つであり、かつ前記現在のコンテンツカードに隣接するコンテンツカードとを含む、
端末。
【請求項６】
前記予め定められた領域は第１の予め定められた領域を含み、前記プロセッサによって前記コンテンツカードに関する実行動作を判断する前記段階は、
前記現在のコンテンツカードが前記スタッキングモードにあること、前記開始位置が前記コンテンツ表示領域内にあること、前記スライド方向が上向きであること、および前記現在のコンテンツカードの前記上部が前記第１の予め定められた領域内にあることに応じて、前記スタッキングモードから前記ブラウジングモードに切り替える段階と、前記現在のコンテンツカードの前記コンテンツ表示領域においてカードコンテンツを上向きに移動する段階とを含む、
請求項５に記載の端末。
【請求項７】
前記予め定められた領域は第２の予め定められた領域を含み、前記プロセッサによって前記コンテンツカードの実行動作を判断する前記段階は、
前記現在のコンテンツカードが前記ブラウジングモードにあること、前記開始位置が前記コンテンツ表示領域内にあること、前記コンテンツ表示領域がカードコンテンツの上部を含むこと、前記スライド方向が下向きであること、および前記現在のコンテンツカードの前記上部が前記第２の予め定められた領域内にあることに応じて、前記現在のコンテンツカードの表示モードを、前記ブラウジングモードから前記スタッキングモードに切り替える段階を含む、
請求項５または６に記載の端末。
【請求項８】
前記予め定められた領域は第３の予め定められた領域を含み、前記プロセッサによって前記コンテンツカードに関する実行動作を判断する前記段階は、
前記現在のコンテンツカードが前記ブラウジングモードにあること、前記開始位置が前記コンテンツ表示領域内にあること、前記コンテンツ表示領域がカードコンテンツの下部を含むこと、前記スライド方向が上向きであること、および前記現在のコンテンツカードの前記下部が前記第３の予め定められた領域内にあることに応じて、隣接するコンテンツカードのコンテンツを連続的に表示する段階を含み、隣接するコンテンツカードのコンテンツを連続的に表示する前記段階は、前記現在のコンテンツカードの前記下部と前記現在のコンテンツカードに隣接するコンテンツカードの上部とを表示する段階を含む、
請求項５から７のいずれか一項に記載の端末。
【請求項９】
命令を含むコンピュータ可読記憶媒体であって、前記命令がコンピュータ上で実行されるとき、前記コンピュータは請求項１から４のいずれか一項に記載の方法を実行することを可能にされる、コンピュータ可読記憶媒体。
【請求項１０】
コンピュータに、請求項１から４のいずれか一項に記載の方法を実行させるためのコンピュータプログラム。
【国際調査報告】
2020537214.tif 000016
2020537214.tif 000017
2020537214.tif 000018
2020537214.tif 000019